(57)【要約】  【課題】  一つの幅寄せ装置で様々な物品の搬送形態は勿論、中央位置規制の操作も簡単に行うことができる幅寄せ装置を提供することにある。  【解決手段】  コンベアＡによって搬送される物品Ｗの、該コンベアの搬送路幅に対する幅方向の搬送位置を規制する幅寄せ装置Ｂであって、コンベアの搬送方向と直交する方向で、且つ、搬送路の幅方向外側から中心方向に向けて平行移動し、物品の搬送位置を規制する一対のガイド部材２，２’と、前記ガイド部材の移動を各々独立して調整可能な第一幅寄せ手段４，４’と、前記ガイド部材の移動を連動可能に連結する連結手段５と、前記連結手段により連結され、前記ガイド部材を連動して移動させる第二幅寄せ手段７と、前記連結手段の連動を非連動、或いは非連動を連動に切り換える切り換え手段６と、を備えた。  【選択図】    図１
2006282321.tif 000002
【特許請求の範囲】
【請求項１】
コンベアによって搬送される物品の、該コンベアの搬送路幅に対する幅方向の搬送位置を規制する幅寄せ装置であって、
コンベアの搬送方向と直交する方向で、且つ、搬送路の幅方向外側から中心方向に向けて平行移動し、物品の搬送位置を規制する一対のガイド部材と、
前記ガイド部材の移動を各々独立して調整可能な第一幅寄せ手段と、
前記ガイド部材の移動を連動可能に連結する連結手段と、
前記連結手段により連結され、前記ガイド部材を連動して移動させる第二幅寄せ手段と、  前記連結手段の連動を非連動、或いは非連動を連動に切り換える切り換え手段と、
を備えたことを特徴とするコンベア用幅寄せ装置。
【請求項２】
コンベアによって搬送される物品の、該コンベアの搬送路幅に対する幅方向の搬送位置を規制する幅寄せ装置であって、
物品の搬送位置を規制する一対のガイド部材と、
前記ガイド部材をコンベアの搬送方向と直交する方向で、且つ、搬送路の幅方向外側から中心方向に向けて平行移動させる移動手段と、
前記移動手段を各々独立して調整し、夫々のガイド部材の移動量を個々に調整する第一幅寄せ手段と、
前記移動手段相互を連動可能に連結する連結手段と、
前記連結手段が取り付けられた何れか一方の第一幅寄せ手段に、連動／非連動を切り換える切り換え手段を介して取り付けた第二幅寄せ手段と、
を備えたことを特徴とするコンベア用幅寄せ装置。
【請求項３】
前記移動手段は、コンベアのフレーム外側に配置する固定枠とガイド部材の支持枠を開閉可能なＸ形杆で連結し、且つそのＸ形杆の一端部は固定枠及び支持枠に固定し、Ｘ形杆の他端部は固定枠及び支持枠に開設した長孔に摺動可能に嵌合されていることを特徴とする請求項２記載のコンベア用幅寄せ装置。
【請求項４】
前記連結手段は、前記移動手段における固定枠の長孔内を摺動するＸ形杆の可動端を取り付けた可動枠に夫々揺動片の一側を連結し、その対向する揺動片の他側同士に亘って連結軸を横架し、その連結軸の一方端は揺動片に固定し、連結軸の他方端は揺動片に対し切り換え手段により係脱自在としたことを特徴とする請求項２記載のコンベア用幅寄せ装置。
【請求項５】
前記切り換え手段は、前記第二幅寄せ手段を取り付けた揺動片の回転角度を、連結軸に伝達／非伝達するものであることを特徴とする請求項２叉は４記載のコンベア用幅寄せ装置。
【請求項６】
前記切り換え手段は、第二幅寄せ手段を取り付けた揺動片に、前記連結軸を挟持する挟持体を固着し、その挟持体は操作レバーにより開閉自在とし、挟持体による連結軸の締付／開放を切り換え自在としたことを特徴とする請求項５記載のコンベア用幅寄せ装置。
【請求項７】
前記請求項１乃至６の何れか１項記載の幅寄せ装置を配置したコンベアで、前記幅寄せ装置より下流側に、搬送位置が規制された物品に対してラベルを貼付するラベル貼付手段を備えたことを特徴とするコンベア。
【発明の詳細な説明】
【技術分野】
【０００１】
本発明は、コンベアによって搬送される物品の位置（搬送路の幅方向の位置）を規制する幅寄せ装置及び該装置を備えたコンベアに関する。
【背景技術】
【０００２】
コンベアによって搬送される物品の位置を規制する幅寄せ装置としては、コンベアの搬送路を挟んでガイド部材を対向配置し、その両ガイド部材を搬送路の幅方向中心方向に向けて連動移動させ、それにより物品が搬送される位置を搬送路の中央に調整するもの（例えば、特許文献１参照）、或いはコンベアの搬送路を挟んで対向配置するガイド部材を非連動とし、それぞれのガイド部材の位置を物品の大きさや、搬送路上の搬送位置に応じて夫々を個別に調整するものが知られている。
【０００３】
前者の場合は、特許文献１に示されているように搬送される物品をコンベアの搬送路の幅中央に位置させることが容易であり、後者の場合は物品を様々な搬送位置に規制することができるというメリットがある。
そして、どちらのタイプの幅寄せ装置を採用するかは、例えば幅寄せ装置の下流側にラベル貼付装置が設けられるような場合、搬送物品のどの位置にラベルを貼付するかによって選択される場合がある。
【０００４】
即ち、コンベアの幅方向の中央位置といういつも決まった位置（物品の裏側中央位置：下貼り）にラベルを貼付する場合は前者の幅寄せ装置を、また、物品によってラベル貼付位置を変えることがあるような場合は後者の幅寄せ装置を選択していた。
【０００５】
しかして、前者の幅寄せ装置で搬送路幅の中央位置以外の様々な搬送位置に規制することはできず、そのような規制が必要な場合は前者の幅寄せ装置の他に後者の幅寄せ装置も装備する必要がある。即ち、二つの幅寄せ装置を設置するための設置面積の問題、及び二つの装置を用意するために掛かる経済的負担等の問題を有する。
又、後者の幅寄せ装置は一対のガイド部材を個々に操作して搬送位置を自由に調整できる為、その個々の調整によって搬送路幅の略中央位置に位置規制することも可能であるが、個々に調整して中央位置規制とすることは非常に面倒である。
【０００６】
【特許文献１】特開２０００−２５５８３９号公報
【発明の開示】
【発明が解決しようとする課題】
【０００７】
本発明は上記した従来の技術が有する問題点に鑑みてなされたもので、その目的とするところは、一つの幅寄せ装置で様々な物品の搬送形態は勿論、中央位置規制の操作も簡単に行うことができる幅寄せ装置を提供することにある。
又、他の目的は、安価且つ省スペースを実現できる幅寄せ装置を備えたコンベアを提供することにある。
【課題を解決するための手段】
【０００８】
上記目的を達成するために本発明の幅寄せ装置は、コンベアによって搬送される物品の、該コンベアの搬送路幅に対する幅方向の搬送位置を規制する幅寄せ装置であって、コンベアの搬送方向と直交する方向で、且つ、搬送路の幅方向外側から中心方向に向けて平行移動し、物品の搬送位置を規制する一対のガイド部材と、前記ガイド部材の移動を各々独立して調整可能な第一幅寄せ手段と、前記ガイド部材の移動を連動可能に連結する連結手段と、前記連結手段により連結され、前記ガイド部材を連動して移動させる第二幅寄せ手段と、前記連結手段の連動を非連動、或いは非連動を連動に切り換える切り換え手段と、を備えたことを特徴とする（請求項１）。
【０００９】
上記手段によれば、切り換え手段を操作して一対のガイド部材の連動／非連動を選択することで、ガイド部材を各々独立して調整したり、一対のガイド部材を一箇所の操作で連動調整することができる。
【００１０】
具体的には、物品の搬送位置を規制する一対のガイド部材と、前記ガイド部材をコンベアの搬送方向と直交する方向で、且つ、搬送路の幅方向外側から中心方向に向けて平行移動させる移動手段と、前記移動手段を各々独立して調整し、夫々のガイド部材の移動量を個々に調整する第一幅寄せ手段と、前記移動手段相互を連動可能に連結する連結手段と、前記連結手段が取り付けられた何れか一方の第一幅寄せ手段に、連動／非連動を切り換える切り換え手段を介して取り付けた第二幅寄せ手段と、を備えたことを特徴とする（請求項２）。
上記ガイド部材は、物品が接触する面（内側面）に摩擦（接触）抵抗を軽減するもの、例えば、ローラを接触面に回転可能に取り付ける、或いは接触面に摩擦抵抗を軽減する樹脂被膜をコーティングするなど何れでもよい。又、ガイド部材における物品の入口側は、物品が一対のガイド部材間にスムーズに進入するように外側に向けて拡開すると有効である。
【００１１】
上記手段によれば、コンベアの搬送路を挟んで対向配置した一対のガイド部材の移動手段相互を連結する連結手段を、切り換え手段を操作して連動状態にすることで、第二幅寄せ手段を操作するだけで一対のガイド部材が搬送路幅の外側位置から中央位置に向けて同時に同量移動し、物品の搬送位置を搬送路の中央位置に位置規制することができる。又、前記切り換え手段を操作して連動状態を解除し非連動状態にすれば、一対のガイド部材の移動手段は個々に調整できる状態となる。即ち、夫々のガイド部材の移動手段を第一幅寄せ手段を操作して個々に移動調整することができる。
【００１２】
前記移動手段は、コンベアのフレーム外側に配置する固定枠に対して前記ガイド部材を搬送路の幅方向に平行移動させるもので、例えば、コンベアのフレーム外側に配置する固定枠とガイド部材の支持枠を開閉可能なＸ形杆で連結し、且つそのＸ形杆の一端部は固定枠及び支持枠に固定し、Ｘ形杆の他端部は固定枠及び支持枠に開設した長孔に摺動可能に嵌合した構成とする（請求項３）。前記Ｘ形杆は、二本の杆をＸ形に交差させ、その交差部を回動可能に軸支したもので、二本の杆の交差部から各端部までの長さは同じ長さとする。又、そのＸ形杆は一組のＸ形杆、或いはＸ形杆を複数組連結したものでもよい。
【００１３】
上記手段によれば、固定枠の長孔に嵌合されたＸ形杆の端部を、該長孔に沿って摺動することでＸ形杆が開閉し、それに伴いガイド部材を支持した支持枠は搬送路の幅方向外側から中央方向に向かって平行移動する。即ち、固定枠の長孔に嵌合されているＸ形杆の端部を該固定枠に固着されたＸ形杆の端部に対して離れる方向に位置させればＸ形杆は折り畳まれ、ガイド部材を取り付けた支持枠は固定枠側近に引き寄せられる。逆に、固定枠の長孔に嵌合されているＸ形杆の端部を該固定枠に固着されたＸ形杆の端部に対して近付く方向に移動させるとＸ形杆は立ち、ガイド部材を取り付けた支持枠は固定枠側近から離される。
【００１４】
前記連結手段は、前記移動手段における固定枠の長孔内を摺動するＸ形杆の可動端を取り付けた可動枠に夫々揺動片の一側を連結し、その対向する揺動片の他側同士に亘って連結軸を横架し、その連結軸の一方端は揺動片に固定し、連結軸の他方端は揺動片に対し切り換え手段により係脱自在とする（請求項４）。
【００１５】
上記手段によれば、対向する揺動片同士を、コンベアの搬送路の下側で該搬送路を横切って配置した連結軸で連結できる為、連動機構を簡単に構成することができる。
【００１６】
又、前記切り換え手段は、前記第二幅寄せ手段を取り付けた揺動片の回転角度を、連結軸に伝達／非伝達するものであり（請求項５）、具体的構造として、例えば、第二幅寄せ手段を取り付けた揺動片に、前記連結軸を挟持する挟持体を固着し、その挟持体は操作レバーにより開閉自在とし、挟持体による連結軸の締付／開放を切り換え自在とする（請求項６）。挟持体は一部材、或いは二部材からなるものの何れでもよい。
【００１７】
上記手段によれば、第二幅寄せ手段を取り付けた揺動片と連結軸を切り換え手段を操作して連結することで、第二幅寄せ手段で揺動される揺動片の回転角が連結軸に伝達される。それにより、前記連結軸の他端に固着連結されたもう一方の揺動片も同様に揺動され、対向配置された幅寄せ装置の移動手段は同時に、同量だけ移動する。前記切り換え手段を開放すれば、第二幅寄せ手段を取り付けた揺動片と連結軸との連結が切れ、前記連動状態は解除される。
【００１８】
また、上記幅寄せ装置をコンベアの搬送路を挟む両側に配置し、その幅寄せ装置より下流側に、搬送位置が規制された物品に対してラベルを貼付するラベル貼付手段を配置する（請求項７）。
上記のラベル貼付手段は、物品の下面（底面）にラベルを貼付する下貼り用のラベル貼付機、或いは物品の上面（表面）にラベルを貼付する上貼り用のラベル貼付機の何れでもよい。又、ラベル貼付機は印字機能を備えたもの、印字機能を備えず予め印字されているラベルを貼付するものなど、何れでもよい。
【００１９】
上記手段によれば、コンベアの搬送路の幅方向外側位置に対向配置した一対のガイド部材を連動状態に調整することで、前記一対のガイド部材は幅方向中央方向に移動され、物品を搬送路の幅方向中央位置に位置規制できる。又、前記連動状態を解除することで一対のガイド部材は個々に独立して調整でき、物品の上面に貼付する上ラベルの貼付位置に応じて幅寄せできる。
尚、本発明における一対のガイド部材を連動状態、非連動状態で幅寄せ調整する操作は、夫々第一幅寄せ手段、第二幅寄せ手段で行うが、連動状態、非連動状態でガイド部材を直接移動させて調整することも可能である。
【発明の効果】
【００２０】
本発明の幅寄せ装置は請求項１、２記載の構成により、切り換え手段の操作で、対向する一対のガイド部材を第二幅寄せ手段の操作で同時に同量移動する連動状態と、対向する一対のガイド部材を夫々の第一幅寄せ手段で個々に移動調整する非連動状態とに簡単に切り換え操作できる。従って、一台の幅寄せ装置で様々な搬送形態に対応することができる。また、従来のように連動タイプと非連動（個別）タイプの両方を用意する必要がないので、経済的に有利であると共に、幅寄せ装置の設置スペースの省スペース化に貢献することができる。
【００２１】
そして、請求項３記載の構成により、ガイド部材の平行移動を簡単な構成で行うことができる。
又、請求項４記載の構成により、一対のガイド部材の移動手段同士をコンベアの下側の空間を利用して連結できる為、連結手段が搬送する物品の障害になることはなく、幅寄せ装置を簡素に構成することができる。
更に、請求項５、６記載の構成により、第二幅寄せ手段と連結軸の連結／解除を簡単に行うことができる。
また、請求項７記載の構成により、一台の幅寄せ装置で中央幅寄せ（下貼りラベル）、側方幅寄せ（上貼りラベル）の両方に対応できるコンベアを提供することができる。
【発明を実施するための最良の形態】
【００２２】
以下、本発明の実施の形態の一例を図面に基づき説明する。
図１は幅寄せ装置を取り付けたコンベアを示し、Ａはベルトコンベアで、搬送方向の上流側（図面では右側）に幅寄せ装置Ｂが配置され、その幅寄せ装置Ｂより下流側の搬送路下側にラベル貼付手段Ｃが配置され、前記幅寄せ装置Ｂで幅寄せされた物品Ｗの所定位置にラベルＬを貼付し得るように構成されている。図中、Ａ’、Ａ”は幅寄せ装置Ｂを取り付けたベルトコンベアＡの上流と下流に連設配置した搬入、搬出のコンベアである。
【００２３】
上記幅寄せ装置Ｂは、ベルトコンベアＡの無端状ベルト１の駆動回転で搬送される物品Ｗの搬送位置（搬送路幅方向の位置）を規制するもので、物品の搬送路幅を規制する一対のガイド部材２，２’と、前記ガイド部材２，２’をベルトコンベアＡの搬送方向と直交する方向で、且つ、搬送路の幅方向外側から中心方向に向けて平行移動させる移動手段３，３’と、前記移動手段３，３’を各々独立して調整し、夫々のガイド部材２，２’の移動量を個々に調整する第一幅寄せ手段４，４’と、前記移動手段３，３’相互を連動可能に連結する連結手段５と、前記連結手段５が取り付けられた一方の第一幅寄せ手段４に連動／非連動を切り換える切り換え手段６を介して取り付けた第二幅寄せ手段７とで構成されている。
【００２４】
上記ガイド部材２，２’は、搬送方向に沿って所定の長さを有した枠体２ａに、ローラ２ｂをその軸芯を該枠体２ａの長手方向と直交させて所定の間隔を置いて回転可能に並設して構成されている。そして、前記枠体２ａの搬送方向上流側は外側に向けて屈曲拡開されている。それにより、搬送される物品Ｗが一対のガイド部材２，２’間にスムーズに案内されるようになっている。そして、このガイド部材２，２’はベルトコンベアＡの搬送路を挟む対向位置に移動手段３，３’によって支持されている。
【００２５】
上記移動手段３，３’は、ベルトコンベアＡのフレーム８，８’の外側に配置する固定枠３ａと、ガイド部材２，２’を支持する支持枠３ｂと、前記固定枠３ａと支持枠３ｂとを連結するＸ形杆３ｃとで構成されている。
前記固定枠３ａと支持枠３ｂは、断面コ字形の枠体で、その長手方向の一側部に長手方向に沿って所定長さの長孔９、１０が開設され、その長孔９、１０にＸ形杆３ｃの一端部に取り付けた軸１１，１２が摺動可能に嵌合され、Ｘ形杆３ｃの他端部は固定枠３ａと支持枠３ｂにおける他側部に軸１１’，１２’で固着されている。又、対向する移動手段３，３’の夫々の固定枠３ａは、ベルトコンベアＡのフレーム８，８’の外側面に当接し、ネジ止め固定されている。
【００２６】
上記Ｘ形杆３ｃは、断面コ字形で、同じ長さの２本の枠体を中央でＸ形の交差させ、その交差部を軸１３で枢支して開閉可能に構成されている。
それにより、固定枠３ａの長孔９に嵌合したＸ形杆３ｃの軸１１が長孔９内を摺動することで、Ｘ形杆３ｃが開閉し、Ｘ形杆３ｃの自由端に取り付けられたガイド部材２，２’は搬送路幅方向に平行移動する。尚、固定枠３ａと支持枠３ｂの対向する縁にはＸ形杆３ｃの軸１３の頭部が嵌る凹部１４を切欠き形成し、Ｘ形杆３ｃを閉動した時、該Ｘ形杆３ｃが固定枠３ａと支持枠３ｂとの間に格納され、コンパクトに折り畳めるように構成されている。
【００２７】
上記移動手段３，３’における固定枠３ａの長孔９内を摺動するＸ形杆３ｃの軸１１には第一幅寄せ手段４，４’が取り付けられ、対向するガイド部材２，２’の位置を個々に調整しうるように構成されている。
その第一幅寄せ手段４，４’は、前記Ｘ形杆３ｃの端部に取り付けた軸１１に対して螺着したネジ軸４ａとそのネジ軸４ａの端部に固着した操作摘み４ｂとで構成され、操作摘み４ｂを回動してネジ軸４ａを緩めることで、軸１１と操作摘み４ｂとによる締付が開放されて軸１１の摺動は自在となり、操作摘み４ｂを回動締め付けることで軸１１は固定され、ガイド部材２，２’の位置が固定される。
【００２８】
又、第一幅寄せ手段４，４’を取り付けた移動手段３，３は連結手段５で連結され、１ヶ所の操作で対向するガイド部材２，２’を同時に、同量移動し得るように構成されている。
その連結手段５は、Ｘ形杆３ｃの可動端である軸１１に連結し固定枠３ａに沿って摺動する可動枠５ａと、その可動枠５ａの端部に軸１５で連結した揺動片５ｂと、その対向する揺動片５ｂの他側（図面では下側）に亘って横架した連結軸５ｃとで構成されている。
可動枠５ａと揺動片５ｂの連結は、該揺動片５ｂが連結軸５ｃを中心として円弧回動するため直線的に摺動する可動枠５ａに対して鉛直方向の変位を吸収し得るように前記可動枠５ｂに逃げが設けられている。
【００２９】
前記連結軸５ｃは、フレーム８，８’に固着した取付板１６，１６’に亘って貫通横架され、その連結軸５ｃの一方端は揺動片５ｂに固定し、連結軸５ｃの他方端は揺動片５ｂに切り換え手段６を介して連結されている。そして、切り換え手段６を備えた揺動片５ｂは、可動枠５ａとの連結部より上方に延長突出させ、その突出端部に第二幅寄せ手段７の操作ハンドルが設けられている。
【００３０】
切り換え手段６は、連結軸５ｃを挟む上挟持部６ａと下挟持部６ｂからなる挟持体１７と、その上挟持部６ａと下挟持部６ｂを接離開閉する操作レバー１８とで構成され、上下挟持部６ａ，６ｂの挟持面には連結軸５ｃが嵌る略半円形の凹部が形成されている。そして、挟持体１７は揺動片５ｂにネジ止め固定されている。上挟持部６ａと下挟持部６ｂには操作レバー１８と一体のネジ杆１８ａが螺合され、操作レバー１８の回動により上挟持部６ａと下挟持部６ｂが開方向又は閉方向に移動調整され、両部材６ａ，６ｂ間の間隔Ｓが変化して、揺動片５ｂに対し連結軸５ｃを連結一体化／分離状態に切り換える（図４、図５参照）。尚、挟持体１７は一部材にスリット及び凹部を形成して上下挟持部を区画した図示の形態に限らず、二部材で挟持するように構成してもよい。
【００３１】
上記幅寄せ装置Ｂを取り付けたベルトコンベアＡの前記幅寄せ装置Ｂより下流側に設置するラベル貼付手段Ｃは、物品Ｗの底面にラベルＬ１を貼付する下貼りラベル貼付装置Ｃ１と、物品Ｗの上面にラベルＬ２を貼付する上貼りラベル貼付装置Ｃ２を、目的に応じて適宜配置する。尚、下貼りラベル貼付装置Ｃ１は、無端状ベルトに開設した開口１９上を移動する物品に対してラベルＬ１を搬送して貼付するもので、例えば、特開２００４−９０９２７号に記載のラベル貼付装置を使用することができる。
【００３２】
次に、上記した幅寄せ装置Ｂによる幅寄せ動作について説明する。
（Ａ）連動中央幅寄せ（搬送路の幅方向中心線上に物品の幅方向中心を合わせる）
１．対向配置した一対のガイド部材２，２’の第一幅寄せ手段４，４’における操作摘み４ｂを緩め、可動端の軸１１を固定端の軸１１’から遠ざかる方向に長孔９に沿って移動し、Ｘ形杆３ｃを折り畳んでガイド部材２，２’を搬送路の幅方向外側位置（初期位置）に位置させる（図６（ａ）参照）。
２．切り換え手段６の操作レバー１８を締め付けて（ＯＮ）、揺動片５ｂと連結軸５ｃとを連結一体化する。そして、ベルトコンベアＡの無端状ベルト上に物品Ｗを載せる（図６（ｂ）参照）。
３．切り換え手段６が取り付けられた揺動片５ｂの第二幅寄せ手段７（操作ハンドル）を可動方向に倒す（図面では右方向）（図６（ｃ）参照）。第二幅寄せ手段７の操作により対向配置された一対のガイド部材２，２’の移動手段３，３’は前記連結手段５で連動され、ガイド部材２，２’は初期位置から搬送路の幅方向中心に向かって移動する。
４．一対のガイド部材２，２’が中心方向に移動して無端状ベルト上に載せた物品Ｗを挟み、無端状ベルトの中心線上に物品Ｗの幅方向中心が合致される（図６（ｄ）参照）。そして、前記１．で緩めた第一幅寄せ手段４の操作摘み４ｂを締め付けて、一対のガイド部材２，２’の位置を固定する。
それにより、幅寄せ装置Ｂの上流側から搬送される物品Ｗは、該幅寄せ装置Ｂにおける一対のガイド部材２，２’間を通過することで、中央幅寄せが行われる。
【００３３】
（Ｂ）物品をオフセットする場合（搬送路の幅方向中心と物品の幅方向中心を合わせない）
１．切り換え手段６の操作レバー１８を緩めて（ＯＦＦ）、連結手段５を分離（非連動）にする（図７（ａ）参照）。これにより、一対のガイド部材２，２’の移動手段３，３’は連動状態が解除され、移動手段３，３’は個々に調整し得る状態となる。
２．夫々のガイド部材２，２’の第一幅寄せ手段４，４’にける操作摘み４ｂを緩め、操作摘み４ｂを長孔９に沿って移動させてガイド部材２，２’の位置を調整する（図７（ｂ）参照）。
３．切り換え手段６を備えたガイド部材２については、第一幅寄せ手段４の操作摘み４ｂを長孔９に沿って摺動する方法の他に、第二幅寄せ手段７（操作ハンドル）を操作して可動枠５ａを摺動させても調整できる（図７（ｃ）参照）。
４．一対のガイド部材２，２’の位置を調整した後、第一幅寄せ手段４，４’の操作摘み４ｂを締め付けて調整したガイド部材２，２’の位置を固定する（図７（ｄ）参照）。
【００３４】
（Ｃ）オフセット連動（一対のガイド部材を連動してオフセットする）
１．（Ａ）連動中央幅寄せの１．と同様、対向する一対のガイド部材２，２’の第一幅寄せ手段４，４’の操作摘み４ｂを緩めてガイド部材２，２’を初期位置に位置させる（図８（ａ）参照）。
２．切り換え手段６の操作レバー１８を緩めて（ＯＦＦ）、連結手段５を分離（非連動）にする。そして切り換え手段６が取り付けられた移動手段３を第一幅寄せ手段４の操作摘み４ｂ、又は第二幅寄せ手段７（操作ハンドル）を操作してガイド部材２を搬送路の幅方向中心方向に所定量（Ｚ）移動させる（図８（ｂ）参照）。
３．切り換え手段６の操作レバー１８を締め付けて（ＯＮ）、揺動片５ｂと連結軸５ｃとを連結一体化する。そして、第二幅寄せ手段７（操作ハンドル）を倒す（図８（ｃ）参照）。
４．第二幅寄せ手段７で連動されるガイド部材２，２’は、同量移動されるが、２．で手前側のガイド部材２を中心方向に予め所定量移動してあるため、物品Ｗの幅方向中心は搬送路の幅方向中心から所定量（Ｚ）だけオフセットされる（図８（ｄ）参照）。
【００３５】
図９は揺動片５ｂと連結軸５ｃの連結／分離を行う切り換え手段６の他の例を示し、（ａ）は揺動片５ｂに貫通される連結軸５ｃの外周面に対し、揺動片５ｂに取り付けた固定ネジ２０の先端を接離自在としたタイプ、（ｂ）は揺動片５ｂの凹部に嵌め込んだ連結軸５ｃに、揺動片５ｂの外側から連結軸の軸芯に固定ネジ２１をねじ込んだタイプで、何れも固定ネジ２０、２１を緩めることで揺動片５ｂと連結軸５ｃとの連結が分離され、一体化が解除される。
又、ガイド部材の移動調整は専用の第一幅寄せ手段、第二幅寄せ手段を操作して移動するのみならず、ガイド部材を手で持って移動させることも可能である。
【図面の簡単な説明】
【００３６】
【図１】本発明に係る幅寄せ装置を備えたコンベアを示す平面図。
【図２】幅寄せ装置の拡大正面図。
【図３】図１の（３）−（３）線に沿える拡大断面図。
【図４】連結手段及び切り換え手段を示し、（ａ）は連動状態の一部切欠正面図、（ｂ）は（ａ）図の（ｂ）−（ｂ）線に沿える断面図。
【図５】切り換え手段を操作して揺動片と連結軸を分離した状態を示す一部切欠正面図。
【図６】一対のガイド部材を連動中央幅寄せにセットする場合の説明図。
【図７】一対のガイド部材を非連動にセットする場合の説明図。
【図８】一対のガイド部材をオフセット連動する場合の説明図。
【図９】切り換え手段の他の例を示す図。
【符号の説明】
【００３７】
Ａ…ベルトコンベア              Ｂ…幅寄せ装置
Ｃ…ラベル貼付手段              Ｗ…物品
１…無端状ベルト          ２，２’…ガイド部材
３，３’…移動手段                  ３ａ…固定枠
３ｂ…支持枠                    ３ｃ…Ｘ形杆
４，４’…第一幅寄せ手段              ５…連結手段
５ａ…可動枠                    ５ｂ…揺動片
５ｃ…連結軸                      ６…切り換え手段
７…第二幅寄せ手段            １７…挟持体
１８…操作レバー
【図１】
2006282321.tif 000003
【図２】
2006282321.tif 000004
【図３】
2006282321.tif 000005
【図４】
2006282321.tif 000006
【図５】
2006282321.tif 000007
【図６】
2006282321.tif 000008
【図７】
2006282321.tif 000009
【図８】
2006282321.tif 000010
【図９】
2006282321.tif 000011